(57)【特許請求の範囲】
【請求項１】
帯板状の導電部材を略鉢巻状に曲げた速結端子であって、前記導電部材の一端に形成され電線の挿入により前記電線の表面が接触する端子部と、前記導電部材の他端に形成されて前記電線の挿入により前記電線の表面を前記端子部に押しつけ前記電線に係止する鎖錠ばねと、前記導電部材の中間に形成されたプリント基板接続用のリード部とを備え、前記端子部は前記導電部材の一側に第１の切欠きを有し、前記第１の切欠きは前記第１の切欠きに前記鎖錠ばねの先端の一部が現れ、かつ前記第１の切欠きに電線解除のための解除ボタンが挿通されるように設定され、前記リード部は前記導電部材の他側に第２の切欠きが形成されるように前記導電部材に切起され、前記第２の切欠きは前記鎖錠ばねに挿通された前記電線の先端が通過可能に設定されている速結端子。
【請求項２】
前記リード部はプリント基板のリード部挿入穴に挿入する部分よりも基部側が前記リード部挿入穴よりも太い請求項１記載の速結端子。
【請求項３】
請求項１記載の速結端子と、この速結端子を収納する収納空間を開口したハウジングと、前記速結端子の第１の切欠きに配置され前記鎖錠ばねを解除させる解除ボタンとを備え、前記ハウジングは前記解除ボタンをスライド可能に挿通する解除ボタン用穴を前記収納空間の開口縁に凹設し、前記リード部を貫通させるリード部挿通穴を前記収納空間の開口縁に凹設した接続端子台。
【請求項４】
前記解除ボタンは前記ハウジングに当接して押し込み過ぎを防止する規制部と、前記ハウジングに係止して前記解除ボタンを抜け止めする抜止めとを有する請求項３記載の接続端子台。
【請求項５】
複数個の前記ハウジングが相互に積層され、各ハウジングが前記速結端子と前記解除ボタンを有し、隣接するハウジングの前記リード部挿通穴が前記ハウジングの積層方向と直角な方向に離間して前記収納空間の開口縁に凹設されている請求項４記載の接続端子台。
【請求項６】
積層状態の各ハウジングは前記ハウジングの開口の向きが同じであり、各ハウジングは前記収納空間の周辺の同じ位置に複数の係止爪と係止部を有するとともに突条と凹条とを有するものであって、１つのハウジングの前記複数の係止爪は前記１つのハウジングの開口側に隣接するハウジングの前記係止部に係止し、前記１つのハウジングの前記係止部は前記開口側と反対側に隣接するハウジングの前記係止爪が係止し、前記１つのハウジングの前記突条は前記開口側に隣接するハウジングの前記凹条に嵌合し、前記１つのハウジングの前記凹条は前記開口側と反対側に隣接するハウジングの前記突条が嵌合するものであり、さらに端に位置するハウジングの前記開口を塞ぐカバーに前記ハウジングの前記突条に嵌合する凹条および前記係止爪に係止する係止部を形成している請求項５記載の接続端子台。
【発明の詳細な説明】
【０００１】
【発明の属する技術分野】
この発明は、主に電線接続を目的にプリント基板上に配置される接続端子台および速結端子に関するものである。
【０００２】
【従来の技術】
従来、図１７から図１９に示すように、ハウジング１００に速結端子１０１を収納し、ハウジング１００の電線挿入穴１０７に挿入された電線１０６を速結するものがあった。また多極化の実現のため複数のハウジング１００を薄型にして、連結突起１０４と圧入孔１０５により相互に連結していた。１０１′は別種類の速結端子、１０２は端に位置するハウジング１００の開口を塞ぐためのカバー、１０３は解除ボタンである。
【０００３】
【発明が解決しようとする課題】
しかし、ハウジング１００の薄形化、狭ピッチが要求されるため速結端子の導電部の断面積が小さい。また接触部が１点接触であり、２点接触は部品点数が増加する。さらに絶縁距離の確保のため狭ピッチ化の推進が困難であるという課題があった。
【０００４】
したがって、この発明の目的は、部品点数が増加することなく２点接触が可能な接続端子台および速結端子を提供することである。
【０００５】
【課題を解決するための手段】
請求項１記載の速結端子は、帯板状の導電部材を略鉢巻状に曲げた速結端子であって、前記導電部材の一端に形成され電線の挿入により前記電線の表面が接触する端子部と、前記導電部材の他端に形成されて前記電線の挿入により前記電線の表面を前記端子部に押しつけ前記電線に係止する鎖錠ばねと、前記導電部材の中間に形成されたプリント基板接続用のリード部とを備え、前記端子部は前記導電部材の一側に第１の切欠きを有し、前記第１の切欠きは前記第１の切欠きに前記鎖錠ばねの先端の一部が現れ、かつ前記第１の切欠きに電線解除のための解除ボタンが挿通されるように設定され、前記リード部は前記導電部材の他側に第２の切欠きが形成されるように前記導電部材に切起され、前記第２の切欠きは前記鎖錠ばねに挿通された前記電線の先端が通過可能に設定されている。
【０００６】
請求項１記載の速結端子によれば、２点接触を確保できるので接触の信頼性が向上し、また通電部を２通り確保でき電流容量を増やすことができる。さらに１部品で構成したことで組み立て工数を減らし、材料費を減らすことができる。また切欠きを設けることで電線解除を鎖錠ばねが電線を保持する力の方向と反対の方向から加えることができ、電線解除が容易になる。さらに電線を保持している場所の最も近い部分を解除の力が最も有効な方向に加えることができるので、電線解除が容易になる。また前記端子部の前記切欠きにより残された部分が電線挿入側端部より電線挿入側に向けて延出すると、切欠きが電気経路側でないため通電性能に影響がでない。またプリント基板に接続するためのリード部を有し、前記リード部と前記鎖錠ばねが互いに反対側に位置するため、速結端子を固定する位置に対向した位置が鎖錠ばねとなっているためばね応力的に有利な方向となっている。さらに導電部材を略鉢巻状に形成し、その一端を鎖錠ばねとし、他端を端子部としたため、展開形状を略長方形にでき、材料歩留りを良好にできる。リード部を切起こしにより形成すると切起こしにより幅狭くなった部分を電線の先端が通り抜けるため、電線の差し込み深さを十分にとることができ、したがって速結端子の全体長を短くすることができる。
【０００７】
請求項２記載の速結端子は、請求項１において、前記リード部が前記プリント基板のリード部挿入穴に挿入する部分よりも基部側が前記リード部挿入穴よりも太いものである。
【０００８】
請求項２記載の速結端子によれば、請求項１と同様な効果のほか、位置決め容易になり、リード部挿入穴を小さくできる。
【０００９】
請求項３記載の接続端子台は、請求項１記載の速結端子と、この速結端子を収納する収納空間を開口したハウジングと、前記速結端子の第１の切欠きに配置され前記鎖錠ばねを解除させる解除ボタンとを備え、前記ハウジングは前記解除ボタンをスライド可能に挿通する解除ボタン用穴を前記収納空間の開口縁に凹設し、前記リード部を貫通させるリード部挿通穴を前記収納空間の開口縁に凹設したものである。
【００１０】
請求項３記載の接続端子台によれば、ハウジングが解除ボタンをスライド可能に挿通する解除ボタン用穴を有し、端子部の切欠きに解除ボタンを配置するため、解除ボタンの位置決め、および組み立てが容易になり、ハウジングに解除ボタンおよび速結端子の順序で開口部より挿入すると組み立てに便利である。また速結端子のリード部を前記ハウジングの奥行き方向に対して前記開口部側に配置したため、収納空間に速結端子を挿入しやすくなり、ハウジングの背面側との絶縁距離を大きくとることができる。
【００２１】
請求項４記載の接続端子台は、請求項３において、前記ハウジングが前記解除ボタンをスライド摺動可能に挿通する解除ボタン用穴を有し、前記解除ボタンは前記ハウジングに当接して押し込み過ぎを防止する規制部と、前記ハウジングに係止して前記解除ボタンを抜止めする抜止め部とを有するものである。
【００２２】
請求項４記載の接続端子台によれば、請求項３と同様な効果のほか、解除ボタンの押し込み過ぎによる速結端子の変形を防止でき、操作性が良好になる。
請求項５記載の接続端子台は、請求項４において、前記ハウジングは相互に積層される複数個有し、各ハウジングが前記速結端子と前記解除ボタンを有し、隣接するハウジングの前記リード部挿通穴が前記ハウジングの積層方向と直角な方向に離間して前記収納空間の開口縁に凹設されている。
請求項５記載の接続端子台によれば、請求項４と同様な効果のほか、リード部相互間の絶縁が図れる。
請求項６記載の接続端子台は、請求項５において、積層状態の各ハウジングは前記ハウジングの開口の向きが同じであり、各ハウジングは前記収納空間の周辺の同じ位置に複数の係止爪と係止部を有するとともに突条と凹条とを有するものであって、１つのハウジングの前記複数の係止爪は前記１つのハウジングの開口側に隣接するハウジングの前記係止部に係止し、前記１つのハウジングの前記係止部は前記開口側と反対側に隣接するハウジングの前記係止爪が係止し、前記１つのハウジングの前記突条は前記開口側に隣接するハウジングの前記凹条に嵌合し、前記１つのハウジングの前記凹条は前記開口側と反対側に隣接するハウジングの前記突条が嵌合するものであり、さらに端に位置するハウジングの前記開口を塞ぐカバーに前記ハウジングの前記突条に嵌合する凹条および前記係止爪に係止する係止部を形成している。
請求項６記載の接続端子台によれば、請求項５と同様な効果がある。
【００２３】
【発明の実施の形態】
この発明の一実施の形態を図１から図１２により説明する。すなわち、このプリント基板用の接続端子台は、速結端子１と、ハウジング２を有する。
【００２４】
速結端子１は、電線３（図４参照）を挾み込み保持する鎖錠ばね４と端子部５を一体に形成したもので、端子部５に幅方向が狭くなるように切欠き６を設け、端子部５の幅方向の残された部分７と鎖錠ばね４とで電線３を挾み込み保持するようにしている。実施の形態では、帯板状の導電部材を略鉢巻状にして速結端子１を形成し、その一端を鎖錠ばね４とし、他端を端子部５とし、端子部５が鎖錠ばね４よりも切欠き６に相当する幅分狭くなっている。速結端子１を鉢巻き状で形成する構成とすることで、速結端子１の製造時の展開形状を図６（ａ）のように横方向に並べたり、図６（ｂ）のように一列に縦に並べたり、図６（ｃ）のように２列に縦に並べた速結端子供給材すなわちフープ材とすることができ、フープ材を略長方形にできるため、材料歩留りを良好にできる。また細い帯板を巻くことで材料使用量を少なくできる。
【００２５】
端子部５の切欠き６により残された部分７は図５に示すように、電線挿入側端部より電線３の挿入側に向けて延出している。このとき、切欠き６は速結端子１を収納するハウジング２の収納空間２１の開口部８と反対側すなわち奥側に位置するように形成される。このようにすると、切欠き６を電線解除に使用したとき、例えば後述の解除ボタン２０のように電線解除を別部材で構成したとき解除ボタン２０の位置決めが容易になる。またハウジング２に対して積み重ね方向で組み立てる時に速結端子１の切欠き６が解除ボタン２０を押えるため組み立て性が向上する。
【００２６】
速結端子１はまた、プリント基板１０に図３に示すように接続するためのリード部１１を有し、リード部１１は鎖錠ばね４と反対側に位置している。実施の形態では、リード部１１をハウジング２の開口部８側に位置するように帯板の約半分の幅で切起こしにより形成している。さらにリード部１１はプリント基板１０のリード部挿入穴１２に挿入する先端側部分を除く基部側がリード部挿入穴１２よりも太く形成され、先端側部分のリード部挿入穴１２を貫通する部分に円弧状の屈曲部を形成している。１８はリード部挿入用穴径である。リード部挿入穴１２に挿通されたリード部１１は半田１５の半田付けが行われ、プリント基板１０に固定される。これにより速結端子１のリード部１１付近が最も動きが固定される場所となり、リード部１１と対向側に位置する鎖錠ばね４がもっとも動きが大きい個所となる。半田１５はリード部挿入穴１２内に流入するため電流容量に対して小断面積でよいが、プリント基板１０より上面は断面積が大きい方が電流容量的に有利である。また基部側が太くなることにより段差部１７が形成されるが、段差部１７はプリント基板１０に接合する時の位置決めになる。一方リード部挿入穴１２の穴径１８を小さくできることにより半田１５の流入範囲が必要以上に大きくならず、リード部挿入穴１２を丸穴にすることができる。速結端子１の板厚ｔと板幅ｈの関係ｈ／ｔは板幅ｈが大きいと大きくなり、半田１５の半田付け性を良好にするためにリード部挿入穴１２を楕円形にすることが必要となり、その結果プリント基板１０に穴１２を形成する金型費用が多額になる。またリード部１２の穴挿入部分を細くすると、最小の半田付け面で良好な半田付け性が得られるため半田１５が少なくてよい。
【００２７】
ハウジング２は、速結端子１を収納する収納空間２１を開口している。図５、図８および図９等に示すように、速結端子１のリード部１１をハウジング２の奥行き方向に対して開口部８側に配置している。この場合、リード部１１を切起こしにより形成すると切起こしにより幅狭くなった部分を図４（ａ）および図５のように電線３の先端が通り抜けるため、電線３の差し込み深さを十分にとることができ、したがって図４（ｂ）のように速結端子１の全体長を想像線から実線のように短くすることができる。また図９に示すようにリード部１１をハウジング２の開口部８側に偏らせることで、カバー２３の厚さａとハウジング２の背面側からリード部１１までの寸法ａ′をほぼ等しくａ≒ａ′とすることができ、絶縁距離を大きくとることができる。さらにリード部１１が開口部８側に位置するため、収納空間２に速結端子１を組み立て挿入するとき挿入しやすい。
【００２８】
実施の形態では、ハウジング２は図１に示すように収納空間２１の周囲に側面に貫通する電線挿入穴３１、解除ボタン用穴３２、および一対のリード挿通穴２６を形成している。収納空間２１内に鉢巻き状の速結端子１を収納し、その外側を収納空間２１の内周面で位置決めするとともに速結端子１の内側を突出部２５により位置決めし、リード部引出穴２６の一方（側面寄りのもの）よりリード部１１を引出して固定状態としている。ハウジング２の開口部８はカバー２３で塞がれ、開口部８側に突出した複数の係止爪２７がカバー２３に形成した係止部２８に係止して連結される。このとき突条３４がカバー２３に形成した凹条に嵌合して速結端子１とハウジング２の外面との間の絶縁距離を確保している。
【００２９】
ハウジング２は開口部８と反対側に係止部２８と同じ位置で同形状の係止部２８を形成しており、同形状の別のハウジング２′をハウジング２の背面側に連結することができる。解除ボタン２０および速結端子４も同形状であるが、リード部１１は例えば図２（ａ）および図４に示すように切起こし位置が異なるもの、すなわちハウジング２′の真ん中のリード挿入穴２６に通すことができるものを使用し、リード部１１の相互間の絶縁を図っている。
【００３０】
ハウジング２に設けられる解除ボタン２０は、速結端子の鎖錠ばね４による電線挾み込み方向の力と略反対方向の力を鎖錠ばね４に加えて電線３の解除を行うものである。解除ボタン２０は、ハウジング２の解除ボタン用穴３２に解除ボタン２０をスライド摺動可能に挿通したとき、ハウジング２の解除ボタン用穴３２に形成した段部３７に当接して押し込み過ぎを防止する規制部３８と、解除ボタン２０を抜止めする抜止め部３９を爪により形成している。実施の形態では、ハウジング２の上面中央に解除ボタン挿入部３２が略コ字形溝状に形成され、開口部８側より挿入部３２に挿入され、カバー２３で閉じることにより開口部８からの脱落を防止する。挿入部３２は下面と上部の２個所に抜止め部３９に対応する抜止め係止部４０を有する。解除ボタン２０は端子部５の切欠き６に配置されるもので、実施の形態では鎖錠ばね４による電線挾み込み方向と略反対方向に力を加える電線解除部となる解除ボタン２０の先端部が速結端子１の切欠き６に位置し鎖錠ばね４に当接している。このとき、図１０に示すように抜止め部３９が抜止め係止部４０に係止した状態で先端部が鎖錠ばね４を若干押した状態としている。速結端子１を電線挿入前に前もって押しているため、電線挿入開始時に無理なく電線３が挿入できる。一方図１１は解除ボタン２０を押し込んで段部３７に規制部３８が当接した状態であり、これにより鎖錠ばね４を無理な力が加わらない弾性変形範囲に規制し端子塑性変形を防いでいる。略コの字形溝状の解除ボタン用穴３２で解除ボタン２０を規制しているため、解除ボタン２０を組み立て後にボタンの脱出がなく、ボタン摺動の位置規制が容易で確実に行える。
【００３１】
解除ボタン２０は図１２に示すように、全体が略角柱状であり、切欠き６を通る先端部２０ａが長手方向の約半分以上の長さを有し、かつ幅方向の一側側および厚さ方向の前面側を後退して断面寸法を小さくし、これにより後端側の一側に規制部３８を形成しており、後端部の前面側には抜止め部３９を爪形に形成し、背面側には凹条部４３を形成している。凹条部４３に対応して解錠ボタン挿入穴３２に凹条部４３に摺動自在に嵌合するガイド突起（図示せず）を設けている。また解除ボタン２０の後端部に操作部４２を溝条に形成している。このようにハウジング２の開口部８に対して幅方向に突出するように規制部３８を形成しているため、幅が狭く、また爪を有する側はハウジング２の開口部８に対して奥行き（厚み）方向の開口部８側へ突出するが先端部２０ａを小さくしているため厚みが薄い省スペースにできる。またハウジング２の解除ボタン用穴３２の開口部８の底部（奥）側は略平面状であり、ハウジング２との摺動面となるが、解除ボタン２０の最大面積部分を摺動面としているため、ボタンの摺動位置規制が容易で確実であり、そのため電線解除部の動きにがたつきがなく確実に電線解除ができる。したがって、小さい形状、省スペースで電線解除性能を持ち、一方解除操作部４２を大きくでき解除操作がし易い。なお、抜止め部３９は解除ボタン２０の略電線挿入方向側の面に少なくとも１つ設けるのが好ましい。
【００３２】
図１３から図１６は速結端子の別の実施の形態を示す。図１３（ａ）は切欠き６をハウジング２の開口部８側となるように形成している点が上記実施の形態と異なる。図１３（ｂ）はリード部１１の位置が異なる形態である。図１３（ｃ）はその若干の変形形態である。
【００３３】
図１４（ａ）は上記の一実施の形態の端子部５が屈曲されていない形態である。図１４（ｂ）はリード部の位置が異なる形態、図１３（ｃ）はその若干の変形形態である。
【００３４】
図１５は速結端子が導電板部５０を有し、その一側に端子部５を折曲し、他側に折曲部５１を形成し、折曲部５１にリード部１１および鎖錠ばね４を形成している。
【００３５】
図１６（ａ）は帯板の導電板を略Ｕ字形に折曲し、一側片５３の先端を内向きに折返して鎖錠ばね４とし、一側片５３の鎖錠ばね４に対向する部分に電線挿入用部５２を切欠きにより形成し、他側片５４をくの字形に折曲している。図１６（ｂ）は電線挿入部５２を長孔により形成している。図１６（ｃ）は鎖錠ばね４を中央片５５に切起こしにより形成し、一側片５３に対向し、切起こしにより形成された中央片５５の細幅部分より電線を鎖錠ばね４と一側片５３との間に差し込むようにする。
【００３６】
なお、ハウジング２は３個以上連結してもよいし、カバー２３とハウジング２のみでも構成できるものである。
【００３７】
【発明の効果】
請求項１記載の速結端子によれば、２点接触を確保できるので接触の信頼性が向上し、また通電部を２通り確保でき電流容量を増やすことができる。さらに１部品で構成したことで組み立て工数を減らし、材料費を減らすことができる。また切欠きを設けることで電線解除を鎖錠ばねが電線を保持する力の方向と反対の方向から加えることができ、電線解除が容易になる。さらに電線を保持している場所の最も近い部分を解除の力が最も有効な方向に加えることができるので、電線解除が容易になる。また前記端子部の前記切欠きにより残された部分が電線挿入側端部より電線挿入側に向けて延出しているため、切欠きが電気経路側でないため通電性能に影響がでない。またプリント基板に接続するためのリード部を有し、前記リード部と前記鎖錠ばねが互いに反対側に位置するため、速結端子を固定する位置に対向した位置が鎖錠ばねとなっているためばね応力的に有利な方向となっている。さらに導電部材を略鉢巻状に形成し、その一端を鎖錠ばねとし、他端を端子部としたため、展開形状を略長方形にでき、材料歩留りを良好にできる。リード部を切起こしにより形成すると切起こしにより幅狭くなった部分を電線の先端が通り抜けるため、電線の差し込み深さを十分にとることができ、したがって速結端子の全体長を短くすることができる。
【００３８】
請求項２記載の速結端子によれば、請求項１と同様な効果のほか、位置決め容易になり、リード部挿入穴を小さくできる。
【００３９】
請求項３記載の接続端子台によれば、ハウジングが解除ボタンをスライド可能に挿通する解除ボタン用穴を有し、端子部の切欠きに解除ボタンを配置するため、解除ボタンの位置決め、および組み立てが容易になり、ハウジングに解除ボタンおよび速結端子の順序で開口部より挿入すると組み立てに便利である。また速結端子のリード部を前記ハウジングの奥行き方向に対して前記開口部側に配置したため、収納空間に速結端子を挿入しやすくなり、ハウジングの背面側との絶縁距離を大きくとることができる。
【００４５】
請求項４記載の接続端子台によれば、請求項３と同様な効果のほか、解除ボタンの押し込み過ぎによる速結端子の変形を防止でき、操作性が良好になる。
請求項５記載の接続端子台によれば、請求項４と同様な効果のほか、リード部相互間の絶縁が図れる。
請求項６記載の接続端子台によれば、請求項５と同様な効果がある。
【図面の簡単な説明】
【図１】この発明の一実施の形態の分解斜視図である。
【図２】（ａ）は速結端子の斜視図、（ｂ）はリード部の位置が異なる速結端子の斜視図である。
【図３】（ａ）は速結端子のリード部をプリント基板に挿入した状態を示す説明図、（ｂ）はその側面図、（ｃ）はプリント基板の部分平面図である。
【図４】（ａ）は電線挿入状態のハウジング２’の正面図、（ｂ）はそのハウジングの速結端子の縮小化を説明する正面図である。
【図５】電線が接続された状態の速結端子の斜視図である。
【図６】速結端子供給材からの速結端子の分離前の展開状態の部分平面図である。
【図７】（ａ）、（ｂ）は互いに異なる方向からみた分解斜視図である。
【図８】複数のハウジングを連結した接続端子台の底面図である。
【図９】その側面図である。
【図１０】電線を接続していない状態の解除ボタンの通常姿勢のハウジングの正面図である。
【図１１】解除ボタンを押し込んだ状態のハウジングの正面図である。
【図１２】（ａ）は解除ボタンの斜視図、（ｂ）は平面図、（ｃ）は正面図、（ｄ）は側面図である。
【図１３】それぞれ別の実施の形態の速結端子の斜視図である。
【図１４】それぞれ別の実施の形態の速結端子の斜視図である。
【図１５】さらに別の実施の形態の速結端子の斜視図である。
【図１６】それぞれ別の実施の形態の速結端子の斜視図である。
【図１７】従来例の分解斜視図である。
【図１８】複数のハウジングの連結状態の斜視図である。
【図１９】電線接続状態のカバーを開いた状態の斜視図である。
【符号の説明】
１    速結端子
２    ハウジング
３    電線
４    鎖錠ばね
５    端子部
６    切欠き
７    残された部分
８    開口部
１０    プリント基板
１１    リード部
１２    リード部挿入穴
１５    半田
１７    段差部
２０    解除ボタン
２０ａ    先端部
２３    カバー
２６    リード部引出穴
３２    解除ボタン用穴
３７    段部
３８    規制部
３９    抜止め部
４０    係止部
【図１】
0004652607.tif 000002
【図２】
0004652607.tif 000003
【図３】
0004652607.tif 000004
【図４】
0004652607.tif 000005
【図５】
0004652607.tif 000006
【図６】
0004652607.tif 000007
【図７】
0004652607.tif 000008
【図８】
0004652607.tif 000009
【図９】
0004652607.tif 000010
【図１０】
0004652607.tif 000011
【図１１】
0004652607.tif 000012
【図１２】
0004652607.tif 000013
【図１３】
0004652607.tif 000014
【図１４】
0004652607.tif 000015
【図１５】
0004652607.tif 000016
【図１６】
0004652607.tif 000017
【図１７】
0004652607.tif 000018
【図１８】
0004652607.tif 000019
【図１９】
0004652607.tif 000020